(57)【要約】  記録再生装置１００は、ＣＰＵ２４０のダビング制御手段にて、例えばＨＤ１７１に記憶された番組データをＤＶＤ１８１へダビングする。ＣＰＵ２４０の記録再生表示手段は、ダビング中にダビング以外の処理を実施する旨の入力操作を認識すると、ダビング以外の処理を適宜実施する。ＣＰＵ２４０の電力供給制御手段は、ダビングが終了したことを認識すると、ダビング以外の処理が継続中であるか否かを判断する。電力供給制御手段は、ダビング以外の処理が継続中でないと判断した場合、電力供給の中断を要求する供給中断情報を電力供給手段２３０へ出力する。一方で、電力供給制御手段は、ダビング以外の処理が継続中であると判断した場合、電力供給の継続を要求する供給継続情報を電力供給手段２３０へ出力する。【特許請求の範囲】
【請求項１】
第１の処理を実施する第１の処理実施手段と、
前記第１の処理とは異なる第２の処理を実施する第２の処理実施手段と、
前記第２の処理の実施に対する処理実施信号を取得する実施信号取得手段と、
前記処理実施信号に基づいて前記第２の処理の実施を認識する処理実施認識手段と、
前記第１の処理の終了を認識する処理終了認識手段と、
前記第１の処理の終了を認識した際に前記第２の処理の実施が認識されているか否かを判断し、前記第２の処理の実施が認識されていないと判断した場合、電力を供給する電力供給手段に前記供給を中断させる電力供給中断処理を実施させる電力供給制御手段と、
を具備したことを特徴とした処理制御装置。
【請求項２】
請求項１に記載の処理制御装置であって、
前記処理終了認識手段は、前記第１の処理の終了が異常終了であるか否かを判断し、
前記電力供給制御手段は、前記第１の処理の終了が異常終了であると判断された場合、前記電力供給手段に前記電力供給中断処理を実施させない
ことを特徴とした処理制御装置。
【請求項３】
請求項１または請求項２に記載の処理制御装置であって、
前記第１の処理の終了からの時間を計時する終了後計時手段と、
前記終了後計時手段が所定時間を計時したことを認識する終了後計時認識手段と、
前記第１の処理の終了を認識した際に前記第２の処理の実施が認識されていないと判断された場合は前記終了後計時手段に計時を開始させ、前記終了後計時手段による前記計時の実施中に前記第２の処理の実施が認識された場合は前記終了後計時手段に前記計時を終了させる終了後計時制御手段と、
を具備し、
前記電力供給制御手段は、前記終了後計時手段が前記所定時間を計時したことを認識した場合、前記電力供給手段に前記電力供給中断処理を実施させる
ことを特徴とした処理制御装置。
【請求項４】
請求項１ないし請求項３のいずれかに記載の処理制御装置であって、
前記第２の処理の実施を認識してからの時間を計時する処理中計時手段と、
前記処理中計時手段が所定時間を計時したことを認識する処理中計時認識手段と、
前記第１の処理の実施中に前記第２の処理の実施を認識した場合、前記処理中計時手段に計時を開始させる処理中計時制御手段と、
を具備し、
前記電力供給制御手段は、前記処理中計時手段が前記所定時間を計時したことを認識した際に前記第１の処理の終了を認識しているか否かを判断し、前記第１の処理の終了を認識していると判断した場合、前記電力供給手段に前記電力供給中断処理を実施させる
ことを特徴とした処理制御装置。
【請求項５】
請求項４に記載の処理制御装置であって、
前記処理中計時制御手段は、前記処理中計時手段による前記計時の実施中に次の前記第２の処理の実施を認識した場合、前記計時をリセットして前記計時を再開させる
ことを特徴とした処理制御装置。
【請求項６】
請求項３ないし請求項５のいずれかに記載の処理制御装置であって、
前記所定時間を任意の時間に設定する旨の入力操作に応じた時間設定信号を取得する時間設定信号取得手段と、
前記時間設定信号に基づいて前記所定時間を前記任意の時間に設定する時間設定手段と、
を具備したことを特徴とした処理制御装置。
【請求項７】
請求項３ないし請求項６のいずれかに記載の処理制御装置であって、
前記第１の処理の実施中に前記第２の処理の実施を認識する間隔を認識する処理間隔認識手段と、
前記間隔に基づいて前記所定時間を設定する自動時間設定手段と、
を具備したことを特徴とした処理制御装置。
【請求項８】
請求項７に記載の処理制御装置であって、
前記処理間隔認識手段は、
前記第１の処理の実施中に前記第２の処理の実施を認識する間隔を計時する処理間隔計時手段と、
前記第１の処理の実施中に前記第２の処理の実施を認識した場合は前記処理間隔計時手段に計時を開始させ、次の前記第２の処理の実施を認識した場合は前記処理間隔計時手段が計時している時間を前記間隔として認識する間隔計時認識手段と、
を備えたことを特徴とした処理制御装置。
【請求項９】
請求項１ないし請求項８のいずれかに記載の処理制御装置であって、
前記第１の処理は、各種データを記憶可能な第１の記憶手段に記憶された前記データを第２の記憶手段へ再記憶させる処理である
ことを特徴とした処理制御装置。
【請求項１０】
電力を供給する電力供給手段と、
請求項１ないし請求項９のいずれかに記載の処理制御装置と、
を具備したことを特徴とした電力供給制御装置。
【請求項１１】
第１の処理を実施し、
前記第１の処理とは異なる第２の処理を実施し、
前記第２の処理の実施に対する処理実施信号を取得し、
前記処理実施信号に基づいて前記第２の処理の実施を認識し、
前記第１の処理の終了を認識し、
前記第１の処理の終了を認識した際に前記第２の処理の実施が認識されているか否かを判断し、前記第２の処理の実施が認識されていないと判断した場合、電力を供給する電力供給手段に前記供給を中断させる電力供給中断処理を実施させる
ことを特徴とする処理制御方法。
【請求項１２】
演算手段を、請求項１ないし請求項９のいずれかに記載の処理制御装置として機能させる
ことを特徴とした処理制御プログラム。
【請求項１３】
請求項１１に記載の処理制御方法を演算手段に実行させる
ことを特徴とした処理制御プログラム。
【請求項１４】
請求項１２または請求項１３に記載の処理制御プログラムが演算手段にて読取可能に記憶された
ことを特徴とした処理制御プログラムを記録した記録媒体。
【発明の詳細な説明】
【技術分野】
【０００１】
本発明は、電力の供給を制御する処理制御装置、電力供給制御装置、処理制御方法、そのプログラム、および、そのプログラムを記録した記録媒体に関する。
【背景技術】
【０００２】
従来、例えばビデオテープなどの磁気テープ、ＨＤ（Hard Disk）などの磁気ディスク、ＤＶＤ（Digital Versatile Disc）などの光ディスク、光磁気ディスクなどの各種記録媒体に記録された例えば映像データなどを、他の各種記録媒体に再記録する機能である、いわゆるダビング機能を有する記録装置や記録再生システムが知られている（例えば、特許文献１参照）。【０００３】
この特許文献１に記載のものは、ＡＶセンタとされるテレビジョン受像器と、４つのＶＴＲ（Video Tape Recorder）と、などを備えている。ＡＶセンタ側は、ダビングの際に、録画側のＶＴＲと再生側のＶＴＲの双方に、適当な間隔をおきながら「メディアエンドになったら教えろ」というコマンドを送り続ける。そして、録画側のＶＴＲまたは再生側のＶＴＲのどちらか一方がメディアエンドになると、録画側のＶＴＲまたは再生側のＶＴＲは、「メディアエンドに達した」という情報をＡＶセンタに返す。ＡＶセンタ側では、「メディアエンドに達した」という情報を一方のＶＴＲから受信すると、他方のＶＴＲをストップさせ、全てのＡＶ機器の電源を停止させるオールパワーオフを実行する。【０００４】
【特許文献１】特開平８−４５２５５号公報（第３頁左欄−第５頁右欄）
【発明の開示】
【発明が解決しようとする課題】
【０００５】
ところで、上述した特許文献１に記載のものが有するオールパワーオフの機能を備えた記録装置には、ダビングと並行して例えば衛星放送などを受信する機能を備えたものがある。しかしながら、このような構成のものでは、利用者が衛星放送などの番組を視聴している最中であっても、ダビングの終了後に実施されるオールパワーオフにより衛星放送の受信を終了してしまうおそれがある。このことから、電力を適切に供給可能な構成が望まれている。【０００６】
本発明は、このような実情に鑑みて、電力の供給を適切に制御する処理制御装置、電力供給制御装置、処理制御方法、そのプログラム、および、そのプログラムを記録した記録媒体を提供することを１つの目的とする。
【課題を解決するための手段】
【０００７】
請求項１に記載の発明は、第１の処理を実施する第１の処理実施手段と、前記第１の処理とは異なる第２の処理を実施する第２の処理実施手段と、前記第２の処理の実施に対する処理実施信号を取得する実施信号取得手段と、前記処理実施信号に基づいて前記第２の処理の実施を認識する処理実施認識手段と、前記第１の処理の終了を認識する処理終了認識手段と、前記第１の処理の終了を認識した際に前記第２の処理の実施が認識されているか否かを判断し、前記第２の処理の実施が認識されていないと判断した場合、電力を供給する電力供給手段に前記供給を中断させる電力供給中断処理を実施させる電力供給制御手段と、を具備したことを特徴とした処理制御装置である。【０００８】
請求項１０に記載の発明は、電力を供給する電力供給手段と、請求項１ないし請求項９のいずれかに記載の処理制御装置と、を具備したことを特徴とした電力供給制御装置である。【０００９】
請求項１１に記載の発明は、第１の処理を実施し、前記第１の処理とは異なる第２の処理を実施し、前記第２の処理の実施に対する処理実施信号を取得し、前記処理実施信号に基づいて前記第２の処理の実施を認識し、前記第１の処理の終了を認識し、前記第１の処理の終了を認識した際に前記第２の処理の実施が認識されているか否かを判断し、前記第２の処理の実施が認識されていないと判断した場合、電力を供給する電力供給手段に前記供給を中断させる電力供給中断処理を実施させることを特徴とする処理制御方法である。【００１０】
請求項１２に記載の発明は、演算手段を、請求項１ないし請求項９のいずれかに記載の処理制御装置として機能させることを特徴とした処理制御プログラムである。【００１１】
請求項１３に記載の発明は、請求項１１に記載の処理制御方法を演算手段に実行させることを特徴とした処理制御プログラムである。【００１２】
請求項１４に記載の発明は、請求項１２または請求項１３に記載の処理制御プログラムが演算手段にて読取可能に記憶されたことを特徴とした処理制御プログラムを記録した記録媒体である。
【図面の簡単な説明】
【００１３】
【図１】本発明の一実施の形態に係る記録再生装置の概略構成を示すブロック図である。
【図２】前記一実施の形態におけるＣＰＵの概略構成を示すブロック図である。
【図３】前記一実施の形態におけるダビング時の電力供給処理を示すフローチャートである。
【図４】本発明の他の実施の形態におけるダビング時の電力供給処理を示すフローチャートである。
【符号の説明】
【００１４】
１７０    第１の記憶手段または第２の記憶手段を構成するＨＤドライブ
１７１    第１の記憶手段または第２の記憶手段を構成するＨＤ
１８０    第１の記憶手段または第２の記憶手段を構成するＤＶＤドライブ
１８１    第１の記憶手段または第２の記憶手段を構成するＤＶＤ
２３０    電力供給制御装置を構成する電力供給手段
２４０    演算手段としても機能するＣＰＵ
２４１    処理制御装置および電力供給制御装置を構成する、第１の処理実施手段としてのダビング制御手段
２４２    処理制御装置および電力供給制御装置を構成する、第２の処理実施手段としての記録再生表示手段
２４３    処理制御装置および電力供給制御装置を構成し得る、終了後計時手段としての終了起動タイマ
２４４    処理制御装置、電力供給制御装置、および、処理間隔認識手段を構成し得る、処理間隔計時手段としても機能し得る、処理中計時手段としての並行起動タイマ
２４５    処理制御装置および電力供給制御装置を構成する、実施信号取得手段、処理実施認識手段、および、処理終了認識手段としても機能する電力供給制御手段
２４６    処理制御装置、電力供給制御装置、および、処理間隔認識手段を構成し得る、間隔計時認識手段としても機能し得る、終了後計時認識手段、終了後計時制御手段、処理中計時認識手段、および、処理中計時制御手段としてのタイマ制御手段
ｔ    所定時間である計時設定時間
ｕ    所定時間である計時設定時間
【発明を実施するための最良の形態】
【００１５】
以下に、本発明の一実施の形態を図面に基づいて説明する。本実施の形態では、本発明の処理制御装置および電力供給制御装置を備えた記録再生装置を例示して説明するが、これに限らず、電力の供給を制御するいずれの構成でも適用できる。【００１６】
〔記録再生装置の構成〕
図１において、１００は記録再生装置である。この記録再生装置１００は、例えばテレビ番組などを第１の記憶手段または第２の記憶手段を構成するＨＤ１７１や、第１の記憶手段または第２の記憶手段を構成するＤＶＤ１８１に適宜記憶させたり、この記憶させたテレビ番組などを図示しない表示装置に適宜表示させる。また、記録再生装置１００は、第１の処理としての、例えばＨＤ１７１に記憶されたテレビ番組などの映像データや音声データなどをＤＶＤ１８１に適宜再記憶させる処理であるいわゆるダビングを実施する。さらに、記録再生装置１００は、ダビングと並行して、第２の処理としての、ダビングに関する処理以外の処理を適宜実施する。例えば、記録再生装置１００は、ダビングと並行して、図示しないアンテナで受信した衛星放送などのテレビ番組を表示装置に表示させる処理や、ＨＤ１７１に記憶されたテレビ番組などの再生処理などを適宜実施する。なお、以下において、また、ダビングと並行して実施するダビングに関する処理以外の処理を、ダビング並行処理と適宜称して説明する。そして、記録再生装置１００は、データ入力部１１０と、選局部１２０と、音声Ａ／Ｄコンバータ１３０と、バス１４０と、ＲＯＭ（Read Only Memory）１５０と、メモリ１６０と、ＨＤドライブ１７０と、ＤＶＤドライブ１８０と、音声Ｄ／Ａコンバータ１９０と、データ出力部２００と、表示部２１０と、サブＣＰＵ（Central Processing Unit）２２０と、電力供給手段２３０と、演算手段としても機能するＣＰＵ２４０と、などを備えている。【００１７】
データ入力部１１０は、音声入力端子１１１と、映像入力端子１１２と、を備えている。音声入力端子１１１は、例えば図示しないプラグが着脱可能に接続されるコネクタやリード線が接続されるターミナルなどである。この音声入力端子１１１は、選局部１２０などに接続されている。また、音声入力端子１１１には、例えば衛星放送における衛星からの例えばテレビ番組の音声データを受信して、この受信した音声データを出力する図示しないアンテナが着脱可能に接続される。そして、音声入力端子１１１には、このアンテナから出力される音声データの入力音声信号Ｓonが入力される。映像入力端子１１２は、音
声入力端子１１１と同様の構成を有している。この映像入力端子１１２は、選局部１２０などに接続されている。また、映像入力端子１１２には、例えば衛星放送における衛星からの例えばテレビ番組の映像データを受信して、この受信した映像データを出力する図示しないアンテナが着脱可能に接続される。そして、映像入力端子１１２には、このアンテナから出力される映像データの入力映像信号Ｓenが入力される。【００１８】
選局部１２０は、音声Ａ／Ｄコンバータ１３０と、サブＣＰＵ２２０と、ＣＰＵ２４０と、などに接続されている。そして、この選局部１２０は、サブＣＰＵ２２０により制御され、任意のチャンネルの例えばテレビ番組の音声データやデータとしての映像データを出力する。具体的には、選局部１２０は、データ入力部１１０に入力された入力音声信号Ｓonの音声データと、入力映像信号Ｓenの映像データと、を取得する。また、選局部１２０は、サブＣＰＵ２２０から選局信号Ｓkyを適宜取得する。この後、この選局信号Ｓkyの後述する選局要求情報に基づいて、利用者にて選局されたチャンネルの音声データや映像データを出力する旨の要求を認識する。そして、選局部１２０は、データ入力部１１０に入力された音声データから選局されたチャンネルの音声データを取得する。この後、この音声データを選局音声信号Ｓosに適宜変換して、音声Ａ／Ｄコンバータ１３０へ出力する。また、選局部１２０は、データ入力部１１０に入力された映像データから選局されたチャンネルの映像データを取得する。この後、この映像データを選局映像信号Ｓesに適宜変換して、ＣＰＵ２４０へ出力する。【００１９】
音声Ａ／Ｄコンバータ１３０は、ＣＰＵ２４０などに接続されている。この音声Ａ／Ｄコンバータ１３０は、選局部１２０から選局音声信号Ｓosの音声データを取得する。この後、この音声データをデジタルの音声データであるデジタル音声データに変換する。そして、音声Ａ／Ｄコンバータ１３０は、このデジタル音声データを入力デジタル音声信号Ｓdoに適宜変換して、ＣＰＵ２４０へ出力する。【００２０】
バス１４０は、例えばＰＣＩ（Peripheral Component Interconnect）バスや、ＩＥＥＥ（Institute of Electrical and Electronic Engineers）１３９４バスなどが例示できる。このバス１４０には、ＲＯＭ１５０と、メモリ１６０と、ＣＰＵ２４０と、などが接続されている。【００２１】
ＲＯＭ１５０は、記録再生装置１００全体を動作制御するＯＳ（Operating System）上に展開される各種プログラムなどを適宜読み出し可能に記憶している。なお、ＲＯＭ１５０としては、ＨＤや光ディスクなどの記録媒体に読み出し可能に記憶するドライブやドライバなどを備えた構成などとしてもよい。【００２２】
メモリ１６０は、各種データを格納、すなわち適宜読み出し可能に記憶する。なお、メモリ１６０としては、ＨＤや光磁気ディスクなどの記録媒体に読み取り可能に記憶するドライブやドライバなどを備えた構成としてもよい。【００２３】
ＨＤドライブ１７０は、ＣＰＵ２４０などに接続され、記録媒体としてのＨＤ１７１を備えている。このＨＤドライブ１７０は、ＣＰＵ２４０により制御され、ＣＰＵ２４０からの映像データやデジタル音声データなどをＨＤ１７１に適宜読み出し可能に記憶させる。なお、ＨＤドライブ１７０およびＨＤ１７１にて、本発明の第１の記憶手段または第２の記憶手段が構成されている。また、映像データおよびデジタル音声データをまとめて説明する際には、これらを番組データと適宜称して説明する。具体的には、ＨＤドライブ１７０は、ＣＰＵ２４０からＨＤ記録信号Ｓmhを適宜取得する。次に、このＨＤ記録信号Ｓ
mhの番組データを取得する。また、ＨＤ記録信号Ｓmhの後述するＨＤ記録要求情報に基づいて、この取得した番組データなどをＨＤ１７１に記憶させる旨の要求を認識する。そして、ＨＤドライブ１７０は、番組データなどをＨＤ１７１に適宜読み出し可能に記憶させる。この後、ＨＤドライブ１７０は、ＣＰＵ２４０から取得した全ての番組データなどをＨＤ１７１に記憶させることができたか否かを判断する。そして、全ての番組データなどをＨＤ１７１に記憶させることができたと判断した場合、その旨が記載された正常終了情報を生成する。一方で、全ての番組データなどをＨＤ１７１に記憶させることができなかったと判断した場合、その旨が記載された異常終了情報を生成する。この後、正常終了情報または異常終了情報をＨＤ終了信号Ｓshに適宜変換して、ＣＰＵ２４０へ出力する。【００２４】
また、ＨＤドライブ１７０は、ＨＤ１７１に記憶させた番組データなどを適宜読み出してＣＰＵ２４０へ出力する。具体的には、ＨＤドライブ１７０は、ＣＰＵ２４０からＨＤ読出信号Ｓyhを適宜取得する。そして、このＨＤ読出信号Ｓyhの後述するＨＤ読出要求情報に基づいて、任意のテレビ番組に関する番組データなどを出力する旨の要求を認識する。この後、この要求された番組データなどをＨＤ１７１から読み出す。そして、ＨＤドライブ１７０は、この読み出した番組データなどをＨＤ読出データ信号Ｓdhに適宜変換して、ＣＰＵ２４０へ出力する。【００２５】
ＤＶＤドライブ１８０は、ＣＰＵ２４０などに接続され、記録媒体としてのＤＶＤ１８１が着脱可能に構成されている。このＤＶＤドライブ１８０は、ＣＰＵ２４０により制御され、ＣＰＵ２４０からの番組データなどをＤＶＤ１８１に適宜読み出し可能に記憶させる。なお、ＤＶＤドライブ１８０およびＤＶＤ１８１にて、本発明の第１の記憶手段または第２の記憶手段が構成されている。具体的には、ＤＶＤドライブ１８０は、ＣＰＵ２４０からＤＶＤ記録信号Ｓmdを適宜取得する。次に、このＤＶＤ記録信号Ｓmdの番組データを取得する。また、ＤＶＤ記録信号Ｓmdの後述するＤＶＤ記録要求情報に基づいて、番組データなどをＤＶＤ１８１に記憶させる旨の要求を認識する。そして、ＤＶＤドライブ１８０は、番組データなどをＤＶＤ１８１に適宜読み出し可能に記憶させる。この後、ＤＶＤドライブ１８０は、ＣＰＵ２４０から取得した全ての番組データなどをＤＶＤ１８１に記憶させることができたか否かを判断する。そして、全ての番組データなどをＤＶＤ１８１に記憶させることができたと判断した場合、その旨が記載された正常終了情報を生成する。一方で、全ての番組データなどをＤＶＤ１８１に記憶させることができなかったと判断した場合、その旨が記載された異常終了情報を生成する。この後、正常終了情報または異常終了情報をＤＶＤ終了信号Ｓsdに適宜変換して、ＣＰＵ２４０へ出力する。【００２６】
また、ＤＶＤドライブ１８０は、ＤＶＤ１８１に記憶させた番組データなどを適宜読み出してＣＰＵ２４０へ出力する。具体的には、ＤＶＤドライブ１８０は、ＣＰＵ２４０からＤＶＤ読出信号Ｓydを適宜取得する。そして、このＤＶＤ読出信号Ｓydの後述するＤＶＤ読出要求情報に基づいて、任意のテレビ番組に関する番組データなどを出力する旨の要求を認識する。この後、この要求された番組データなどをＤＶＤ１８１から読み出す。そして、ＤＶＤドライブ１８０は、これら読み出した番組データなどをＤＶＤ読出データ信号Ｓddに適宜変換して、ＣＰＵ２４０へ出力する。【００２７】
音声Ｄ／Ａコンバータ１９０は、ＣＰＵ２４０などに接続されている。この音声Ｄ／Ａコンバータ１９０は、ＣＰＵ２４０から出力デジタル音声信号Ｓsaのデジタル音声データを取得する。この後、このデジタル音声データをアナログの音声データであるアナログ音声データに変換する。そして、音声Ｄ／Ａコンバータ１９０は、このアナログ音声データを出力アナログ音声信号Ｓauに適宜変換して、データ出力部２００へ出力する。【００２８】
データ出力部２００は、データ入力部１１０の例えば音声入力端子１１１と同様の構成を有する、映像出力端子２０１と、アナログ音声出力端子２０２と、ＤＩＦ（Digital Interface）音声出力端子２０３と、を備えている。映像出力端子２０１は、ＣＰＵ２４０などに接続されている。この映像出力端子２０１には、例えば映像データを画面表示する図示しない表示装置などが着脱可能に接続される。そして、この映像出力端子２０１には、ＣＰＵ２４０からのＣＶＢＳフォーマットやＹＣフォーマットあるいはＹＣｂＣｒフォーマットなどの映像データの出力映像信号Ｓecが入力される。アナログ音声出力端子２０
２は、音声Ｄ／Ａコンバータ２００などに接続されている。このアナログ音声出力端子２０２には、アナログ音声データを音にて出力する表示装置や図示しないスピーカなどが着脱可能に接続される。そして、このアナログ音声出力端子２０２には、音声Ｄ／Ａコンバータ１９０からのデジタル音声データの出力アナログ音声信号Ｓauが入力される。ＤＩＦ音声出力端子２０３は、ＣＰＵ２４０などに接続されている。このＤＩＦ音声出力端子２０３には、例えばＤＩＦフォーマットの音声データを音にて出力する表示装置やスピーカなどが着脱可能に接続される。そして、このＤＩＦ音声出力端子２０３には、ＣＰＵ２４０からのＤＩＦフォーマットの音声データの出力ＤＩＦ音声信号Ｓifが入力される。【００２９】
表示部２１０は、サブＣＰＵ２２０などに接続されている。この表示部２１０としては、例えば液晶パネルや有機ＥＬ（Electro Luminescence）パネル、ＦＥＤ（Field Emission Display）、電気泳動ディスプレイパネルなどが例示できる。この表示部２１０は、サブＣＰＵ２２０により制御され、サブＣＰＵ２２０から出力される画像信号Ｓdpの画像データを画面表示する。この画面表示する画像データとしては、例えば利用者により選局されたチャンネルの表示、ＨＤ１７１やＤＶＤ１８１に記憶された番組データの再生時間などの記録再生装置１００の動作状態などを示す各種情報などが例示できる。【００３０】
サブＣＰＵ２２０は、ＣＰＵ２４０などに接続されている。このサブＣＰＵ２２０は、ＣＰＵ２４０により制御され、選局部１２０の動作を適宜制御する。具体的には、サブＣＰＵ２２０は、ＣＰＵ２４０から設定選局信号Ｓpsを適宜取得する。そして、この設定選局信号Ｓpsの後述する設定選局情報に基づいて、利用者により選局されたチャンネルに関する情報を認識する。次に、この選局されたチャンネルの番組データを出力する旨の要求が記載された選局要求情報を生成する。この後、サブＣＰＵ２２０は、この選局要求情報を選局信号Ｓkyに適宜変換して、選局部１２０へ出力する。【００３１】
また、サブＣＰＵ２２０は、表示部２１０の動作を適宜制御する。具体的には、サブＣＰＵ２２０は、ＣＰＵ２４０から表示信号Ｓphを適宜取得する。そして、この表示信号Ｓphの後述する画像表示情報に基づいて、表示部２１０に表示させる画像データに関する情報を認識する。次に、この情報に基づいて、画像データを生成する。この後、サブＣＰＵ２２０は、この画像データを画像信号Ｓdpに適宜変換して、表示部２１０へ出力する。【００３２】
電力供給手段２３０は、ＣＰＵ２４０などに接続されている。この電力供給手段２３０は、ＣＰＵ２４０により制御され、記録再生装置１００への電力供給を適宜実施をする。具体的には、電力供給手段２３０は、ＣＰＵ２４０から電源オン信号Ｓuoを適宜取得する。そして、この電源オン信号Ｓuoの後述するオン要求情報に基づいて、記録再生装置１００の電源をオンする旨の要求を認識する。この後、電力供給手段２３０は、記録再生装置１００への電力供給を直ちに開始して、記録再生装置１００の電源をオンにする。また、電力供給手段２３０は、ＣＰＵ２４０から電源オフ信号Ｓufを適宜取得する。そして、この電源オフ信号Ｓufの後述するオフ要求情報に基づいて、記録再生装置１００の電源をオフする旨の要求を認識する。この後、電力供給手段２３０は、記録再生装置１００への電力供給を直ちに終了して、記録再生装置１００の電源をオフにする。【００３３】
さらに、電力供給手段２３０は、ＣＰＵ２４０から供給継続信号Ｓkeを適宜取得する。そして、この供給継続信号Ｓkeの後述する供給継続情報に基づいて、記録再生装置１００への電力供給を継続する旨の要求を認識する。この後、電力供給手段２３０は、記録再生装置１００への電力供給を継続して電源のオン状態を継続する。また、電力供給手段２３０は、ＣＰＵ２４０から供給中断信号Ｓcyを適宜取得する。そして、この供給中断信号Ｓ
cyの後述する供給中断情報に基づいて、記録再生装置１００への電力供給を中断する旨の要求を認識する。この後、電力供給手段２３０は、記録再生装置１００への電力供給を直ちに中断して記録再生装置１００の電源をオフする。【００３４】
ＣＰＵ２４０は、図示しない各入出力ポート、例えば選局部１２０が接続される選局ポート、音声Ａ／Ｄコンバータ１３０が接続される音声Ａ／Ｄポート、バス１４０が接続されるバスポート、ＨＤドライブ１７０が接続されるＨＤポート、ＤＶＤドライブ１８０が接続されるＤＶＤポート、音声Ｄ／Ａコンバータ１９０が接続される音声Ｄ／Ａポート、映像出力端子２０１が接続される映像出力ポート、ＤＩＦ音声出力端子２０３が接続されるＤＩＦ音声出力ポート、サブＣＰＵ２２０が接続されるサブポート、電力供給手段２３０が接続される電力供給ポート、図示しない入力部が接続される入力ポートなどを有している。そして、ＣＰＵ２４０は、各種プログラムとして、図２に示すように、第１の処理実施手段としてのダビング制御手段２４１と、第２の処理実施手段としての記録再生表示手段２４２と、終了後計時手段としての終了起動タイマ２４３と、処理中計時手段としての並行起動タイマ２４４と、実施信号取得手段、処理実施認識手段、および、処理終了認識手段としても機能する電力供給制御手段２４５と、終了後計時認識手段、終了後計時制御手段、処理中計時認識手段、および、処理中計時制御手段としてのタイマ制御手段２４６と、などを備えている。なお、ダビング制御手段２４１、記録再生表示手段２４２、終了起動タイマ２４３、並行起動タイマ２４４、電力供給制御手段２４５、および、タイマ制御手段２４６にて、本発明の処理制御装置が構成されている。また、ダビング制御手段２４１、記録再生表示手段２４２、終了起動タイマ２４３、並行起動タイマ２４４、電力供給制御手段２４５、タイマ制御手段２４６、および、電力供給手段２３０にて、本発明の電力供給制御装置が構成されている。ここで、本発明の処理制御装置および電力供給制御装置は、前述した構成において、終了起動タイマ２４３、並行起動タイマ２４４、および、タイマ制御手段２４６を設けない構成としてもよい。【００３５】
ダビング制御手段２４１は、利用者による入力部の入力操作に基づいて、番組データのダビングを適宜実施する。具体的には、ダビング制御手段２４１は、入力部からダビング操作信号を取得して、ＨＤ１７１に記憶された番組データのＤＶＤ１８１へのダビング、ＤＶＤ１８１に記憶された番組データのＨＤ１７１へのダビング、ＨＤ１７１の任意の記憶領域に記憶された番組データのＨＤ１７１の他の記憶領域へのダビングなどのうちのいずれかを実施する旨の設定入力を認識する。そして、ダビング制御手段２４１は、例えばＨＤ１７１の番組データのＤＶＤ１８１へのダビングが要求されていることを認識すると、ＨＤ１７１の任意のテレビ番組に関する番組データなどを出力する旨を要求するＨＤ読出要求情報を生成する。この後、ダビング制御手段２４１は、このＨＤ読出要求情報をＨＤ読出信号Ｓyhに適宜変換して、ＨＤドライブ１７０へ出力する。また、ダビング制御手段２４１は、入力部からダビング操作信号を取得してダビングを開始する旨、すなわち利用者による入力操作を認識してダビングを開始する旨のダビング開始信号を適宜生成する。この後、このダビング開始信号を電力供給制御手段２４５へ出力する。【００３６】
そして、ダビング制御手段２４１は、ＨＤドライブ１７０からのＨＤ読出データ信号Ｓdhの番組データなどを適宜取得する。次に、この番組データなどをＤＶＤ１８１に記憶させる旨を要求するＤＶＤ記録要求情報を生成する。そして、番組データやＤＶＤ記録要求情報などをＤＶＤ記録信号Ｓmdに適宜変換して、ＤＶＤドライブ１８０へ出力する。これにより、ＤＶＤドライブ１８０にて、このＤＶＤ記録信号Ｓmdに基づいて番組データがＤ
ＶＤ１８１に記憶され、ＨＤ１７１の番組データがＤＶＤ１８１にダビングされる。この後、ダビング制御手段２４１は、例えばＤＶＤドライブ１８０からＤＶＤ終了信号Ｓsdを適宜取得する。次に、このＤＶＤ終了信号Ｓsdに基づいて、ＤＶＤドライブ１８０へ出力した番組データがＤＶＤ１８１に全てダビングされたか否か、すなわちダビングが正常終了したか否かを判断する。そして、ＤＶＤ終了信号Ｓsdが正常終了情報である場合、ダビングが正常終了したと判断する。この後、ダビング制御手段２４１は、ダビングが正常終了した旨の正常終了信号を生成して電力供給制御手段２４５へ適宜出力する。一方で、ＤＶＤ終了信号Ｓsdが異常終了情報である場合、ダビングがエラー終了したと判断する。この後、ダビング制御手段２４１は、ダビングがエラー終了した旨のエラー終了信号を生成して電力供給制御手段２４５へ適宜出力する。【００３７】
また、ダビング制御手段２４１は、ダビングの実施中に入力部からダビングキャンセル操作信号を取得して、ダビングをキャンセルする旨の設定入力を認識する。この後、ダビング制御手段２４１は、実施しているダビングを終了させる。また、ダビング制御手段２４１は、入力部からダビングキャンセル操作信号を取得してダビングをキャンセルした旨、すなわち利用者による入力操作を認識してダビングをキャンセルした旨のキャンセル終了信号を適宜生成する。この後、このキャンセル終了信号を電力供給制御手段２４５へ出力する。【００３８】
記録再生表示手段２４２は、利用者による図示しない入力部の入力操作に基づいて、ダビングに関する処理以外の各種処理を適宜実施する。また、記録再生表示手段２４２は、ダビング制御手段２４１によりダビングが実施されている場合、ダビングと並行してダビングに関する処理以外の各種処理を実施する。【００３９】
具体的には、記録再生表示手段２４２は、入力部から処理操作信号を取得して、例えば任意のチャンネルのテレビ番組を表示装置に画面表示させる旨の設定入力を認識する。そして、このチャンネルに関する情報が記載された設定選局情報を生成する。次に、この設定選局情報を設定選局信号Ｓpsに適宜変換して、サブＣＰＵ２２０へ出力する。また、記
録再生表示手段２４２は、入力部から処理操作信号を取得してダビングに関する処理以外の処理を開始する旨、すなわち利用者による入力操作を認識して処理を開始する旨の処理実施信号としても機能する処理開始信号を適宜生成する。そして、この処理開始信号を電力供給制御手段２４５へ出力する。この後、記録再生表示手段２４２は、選局部１２０から選局映像信号Ｓesを適宜取得する。そして、この選局映像信号Ｓesの映像データを、ＣＶＢＳフォーマットやＹＣフォーマットあるいはＹＣｂＣｒフォーマットなどの映像データに適宜変換する。この後、この映像データを出力映像信号Ｓecに適宜変換して、映像出力端子２０１へ出力する。また、記録再生表示手段２４２は、音声Ａ／Ｄコンバータ１３０から入力デジタル音声信号Ｓdoを適宜取得する。そして、この入力デジタル音声信号Ｓdoのデジタル音声データを出力デジタル音声信号Ｓsaに適宜変換して、音声Ｄ／Ａコンバータ１９０へ出力する。さらに、記録再生表示手段２４２は、入力デジタル音声信号Ｓdoのデジタル音声データをＤＩＦフォーマットの音声データに適宜変換する。この後、この音声データを出力ＤＩＦ音声信号Ｓifに適宜変換して、ＤＩＦ音声出力端子２０３へ出力する。そして、記録再生表示手段２４２は、例えば選局部１２０にて取得した番組データのチャンネルを表示部２１０に表示させる旨を要求する画像表示情報を生成する。この後、この画像表示情報を表示信号Ｓphに適宜変換して、サブＣＰＵ２２０へ出力する。【００４０】
また、記録再生表示手段２４２は、入力部から処理操作信号を取得して、例えばＤＶＤ１８１の番組データを再生する旨の設定入力を認識する。そして、この番組データの出力を要求する旨のＤＶＤ読出要求情報を生成する。次に、このＤＶＤ読出要求情報をＤＶＤ読出信号Ｓydに適宜変換して、ＤＶＤドライブ１８０へ出力する。また、記録再生表示手段２４２は、処理開始信号を適宜生成して、電力供給制御手段２４５へ出力する。この後、記録再生表示手段２４２は、ＤＶＤドライブ１８０からＤＶＤ読出データ信号Ｓddを適宜取得する。そして、このＤＶＤ読出データ信号Ｓddの番組データである映像データを、上述したようなフォーマットなどの映像データに適宜変換する。この後、この映像データを出力映像信号Ｓecに適宜変換して、映像出力端子２０１へ出力する。また、記録再生表示手段２４２は、ＤＶＤ読出データ信号Ｓddの番組データである音声データを出力デジタル音声信号Ｓsaに適宜変換して、音声Ｄ／Ａコンバータ１９０へ出力する。さらに、記録再生表示手段２４２は、ＤＶＤ読出データ信号Ｓddの番組データである音声データをＤＩＦフォーマットの音声データに適宜変換する。この後、この音声データを出力ＤＩＦ音声信号Ｓifに適宜変換して、ＤＩＦ音声出力端子２０３へ出力する。また、記録再生表示手段２４２は、番組データの再生時間を適宜認識する。次に、記録再生表示手段２４２は、例えば番組データの再生時間を表示部２１０に表示させる旨を要求する画像表示情報を生成する。この後、この画像表示情報を表示信号Ｓphに適宜変換して、サブＣＰＵ２２０へ出力する。【００４１】
さらに、記録再生表示手段２４２は、電力供給制御手段２４５から後述する並行処理確認信号を適宜取得する。そして、この並行処理確認信号に基づいて、ダビング並行処理の処理状況に関する情報を電力供給制御手段２４５へ出力する旨の要求を認識する。この後、記録再生表示手段２４２は、ダビング並行処理が継続中であるか否かに関する処理実施信号としても機能する並行処理状況信号を生成する。そして、記録再生表示手段２４２は、この並行処理状況信号を電力供給制御手段２４５へ適宜出力する。【００４２】
また、記録再生表示手段２４２は、録画予約の設定がされている場合、この設定に基づいて、任意のチャンネルの例えばテレビ番組をＨＤ１７１やＤＶＤ１８１に録画する処理を適宜実施する。具体的には、記録再生表示手段２４２は、図示しない計時手段が計時する時刻に基づいて、録画予約の時刻になったことを認識すると、録画予約されたチャンネルに関する情報が記載された設定選局情報を生成する。そして、この設定選局情報を設定選局信号Ｓpsに適宜変換して、サブＣＰＵ２２０へ出力する。この後、記録再生表示手段２４２は、選局部１２０から選局映像信号Ｓesの映像データを適宜取得するとともに、音
声Ａ／Ｄコンバータ１３０から入力デジタル音声信号Ｓdoの音声データを適宜取得する。そして、この番組データなどを例えばＨＤ１７１に記憶させる旨を要求するＨＤ記録要求情報を生成する。この後、記録再生表示手段２４２は、番組データやＨＤ記録要求情報などをＨＤ記録信号Ｓmhに適宜変換して、ＨＤドライブ１７０へ出力する。これにより、ＨＤドライブ１７０にて、このＨＤ記録信号Ｓmhに基づいて番組データがＨＤ１７１に記憶され、録画予約されたテレビ番組の番組データがＨＤ１７１に録画される。【００４３】
そして、記録再生表示手段２４２は、入力部の入力操作に基づいて、例えばメニュー画面を画面表示させる処理、画面表示されたテレビ番組のチャンネル変更処理、ＨＤ１７１やＤＶＤ１８１の例えばテレビ番組の早送り処理やスキップ処理など、ダビングに関する処理以外の処理を適宜実施する。また、記録再生表示手段２４２は、処理開始信号を適宜生成して、電力供給制御手段２４５へ出力する。【００４４】
終了起動タイマ２４３は、タイマ制御手段２４６により制御され、例えば内部クロックなどの基準パルスに基づいてダビングが終了してからの経過時間を計時する。そして、この終了起動タイマ２４３は、計時した経過時間に関する時間情報をタイマ制御手段２４６へ適宜出力する。【００４５】
並行起動タイマ２４４は、終了起動タイマ２４３と同様の構成を有している。この並行起動タイマ２４４は、タイマ制御手段２４６により制御され、ダビング並行処理が実施されてからの経過時間を計時する。そして、この並行起動タイマ２４４は、計時した経過時間に関する時間情報をタイマ制御手段２４６へ適宜出力する。【００４６】
電力供給制御手段２４５は、各手段２４１，２４２からの各信号に基づいて、タイマ制御手段２４６の動作を適宜制御する。また、入力部、各手段２４１，２４２，２４６からの各信号に基づいて、電力供給手段２３０の動作を適宜制御する。具体的には、電力供給制御手段２４５は、ダビング制御手段２４１からエラー終了信号または正常終了信号を適宜取得する。この後、この取得した信号に基づいて、ダビングが終了したことを認識する。そして、エラー終了信号を取得している場合、ダビングがエラー終了したことを認識する。次に、電力供給制御手段２４５は、記録再生装置１００への電力供給の継続を要求する供給継続情報を生成する。そして、この供給継続情報を供給継続信号Ｓkeに適宜変換して、電力供給手段２３０へ出力する。【００４７】
また、電力供給制御手段２４５は、正常終了信号を取得している場合、ダビングが正常終了したことを認識する。次に、電力供給制御手段２４５は、ダビング並行処理の処理状況に関する情報の出力を要求する並行処理確認信号を生成する。そして、この並行処理確認信号を記録再生表示手段２４２へ適宜出力する。この後、電力供給制御手段２４５は、記録再生表示手段２４２から並行処理状況信号を適宜取得する。そして、この並行処理状況信号に基づいて、ダビング並行処理が継続中であるか否かを判断する。例えば、電力供給制御手段２４５は、ダビングと並行して実施されていた任意のチャンネルの画面表示処理が継続中であるか否かを判断する。そして、ダビング並行処理が継続中であると判断した場合、供給継続信号Ｓkeを電力供給手段２３０へ適宜出力する。【００４８】
一方で、電力供給制御手段２４５は、ダビング並行処理が継続中でないと判断した場合、終了起動タイマ２４３で計時を開始する旨を要求する終了計時要求信号を生成する。そして、この終了計時要求信号をタイマ制御手段２４６へ適宜出力する。この後、電力供給制御手段２４５は、タイマ制御手段２４６から後述する終了計時完了信号を適宜取得する。次に、この終了計時完了信号に基づいて、終了起動タイマ２４３が予め設定された所定時間である計時設定時間のｎ分を計時したことを認識する。この後、電力供給制御手段２４５は、記録再生装置１００への電力供給の中断を要求する供給中断情報を生成する。そして、この供給中断情報を供給中断信号Ｓcyに適宜変換して、電力供給手段２３０へ適宜出力する。【００４９】
また、電力供給制御手段２４５は、終了計時要求信号を出力してから終了計時完了信号を取得するまでの間に、記録再生表示手段２４２から処理開始信号を取得したか否か、すなわち終了起動タイマ２４３の計時中にダビング以外の処理を実施させる旨の入力操作が実施されたか否かを適宜判断する。そして、入力操作が実施されたと判断した場合、終了起動タイマ２４３での計時を中断する旨を要求する終了計時中断信号を生成する。次に、この終了計時中断信号をタイマ制御手段２４６へ出力する。この後、電力供給制御手段２４５は、タイマ制御手段２４６から後述する終了中断完了信号を適宜取得する。次に、この終了中断完了信号に基づいて、終了起動タイマ２４３の計時が中断されたことを認識する。この後、電力供給制御手段２４５は、供給継続信号Ｓ
keを電力供給手段２３０へ適宜出力する。【００５０】
さらに、電力供給制御手段２４５は、終了計時要求信号を出力してから終了計時完了信号を取得するまでの間に、録画予約の設定がされているか否かを判断する。そして、録画予約の設定がされていると判断した場合、終了計時中断信号をタイマ制御手段２４６へ出力する。この後、電力供給制御手段２４５は、タイマ制御手段２４６から終了中断完了信号を取得すると、供給継続信号Ｓkeを電力供給手段２３０へ適宜出力する。【００５１】
また、電力供給制御手段２４５は、ダビング制御手段２４１からエラー終了信号または正常終了信号を取得する前に、ダビング制御手段２４１からキャンセル終了信号を取得したか否か、すなわちダビング中にダビングをキャンセル終了する旨の入力操作が実施されたか否かを判断する。そして、キャンセル終了する旨の入力操作が実施されたと判断した場合、供給継続信号Ｓkeを電力供給手段２３０へ適宜出力する。【００５２】
さらに、電力供給制御手段２４５は、ダビング制御手段２４１からエラー終了信号または正常終了信号を取得する前に、記録再生表示手段２４２から処理開始信号を取得したか否か、すなわちダビング中にダビング並行処理を実施させる旨の入力操作が実施されたか否かを判断する。そして、入力操作が実施されたと判断した場合、並行起動タイマ２４４で計時を開始する旨を要求する並行計時要求信号を生成する。そして、この並行計時要求信号をタイマ制御手段２４６へ適宜出力する。この後、電力供給制御手段２４５は、タイマ制御手段２４６から後述する並行計時完了信号を適宜取得する。次に、この並行計時完了信号に基づいて、並行起動タイマ２４４が予め設定された所定時間である計時設定時間のｍ分を計時したことを認識する。この後、電力供給制御手段２４５は、ダビングが終了しているか否かを判断する。そして、ダビングが終了していると判断した場合、このダビングがエラー終了したか否かを判断する。この後、電力供給制御手段２４５は、ダビングがエラー終了したと判断した場合、供給継続信号Ｓkeを電力供給手段２３０へ適宜出力する。一方で、ダビングが正常終了したと判断した場合、上述したような処理を実施して、ダビング並行処理が継続中であるか否かを判断する。この後、電力供給制御手段２４５は、ダビング並行処理が継続中であると判断した場合、供給継続信号Ｓkeを電力供給手段２３０へ適宜出力する。一方で、ダビング並行処理が継続中はないと判断した場合、供給中断信号Ｓcyを電力供給手段２３０へ適宜出力する。【００５３】
そして、電力供給制御手段２４５は、並行計時要求信号を出力してから並行計時完了信号を取得するまでの間に、記録再生表示手段２４２から処理開始信号を取得したか否か、すなわち並行起動タイマ２４４の計時中にダビング以外の処理を実施させる旨の入力操作が実施されたか否かを適宜判断する。そして、入力操作が実施されたと判断した場合、並行起動タイマ２４４の計時をリセットして再び計時を開始させる旨を要求するリセット要求信号を生成する。この後、このリセット要求信号をタイマ制御手段２４６へ適宜出力する。【００５４】
さらに、電力供給制御手段２４５は、並行起動タイマ２４４の計時中にダビングをキャンセル終了する旨の入力操作が実施されたか否かを判断する。そして、キャンセル終了する旨の入力操作が実施されたと判断した場合、並行計時中断信号をタイマ制御手段２４６へ出力する。この後、電力供給制御手段２４５は、タイマ制御手段２４６から並行中断完了信号を取得すると、供給継続信号Ｓkeを電力供給手段２３０へ適宜出力する。【００５５】
また、電力供給制御手段２４５は、入力部から電力供給開始信号を適宜取得して、記録再生装置１００への電力供給を開始して記録再生装置１００の電源をオンする旨の設定入力を認識する。そして、記録再生装置１００の電源をオンする旨を要求するオン要求情報を生成する。この後、このオン要求情報を電源オン信号Ｓuoに適宜変換して、電力供給手段２３０へ出力する。さらに、電力供給制御手段２４５は、入力部から電力供給終了信号を適宜取得して、記録再生装置１００への電力供給を終了して記録再生装置１００の電源をオフする旨の設定入力を認識する。そして、記録再生装置１００の電源をオフする旨を要求するオフ要求情報を生成する。この後、このオフ要求情報を電源オフ信号Ｓufに適宜変換して、電力供給手段２３０へ出力する。【００５６】
タイマ制御手段２４６は、電力供給制御手段２４５により制御され、終了起動タイマ２４３や並行起動タイマ２４４の動作を適宜制御する。具体的には、タイマ制御手段２４６は、電力供給制御手段２４５から終了計時要求信号を適宜取得する。そして、この終了計時要求信号に基づいて、終了起動タイマ２４３をリセットしてから起動させる。この後、タイマ制御手段２４６は、終了起動タイマ２４３から時間情報を適宜取得して、計時設定時間のｎ分を計時したか否かを適宜判断する。そして、ｎ分を計時したと判断した場合、終了起動タイマ２４３に計時を終了させる。この後、タイマ制御手段２４６は、ｎ分の計時が終了した旨の終了計時完了信号を生成する。そして、この終了計時完了信号を電力供給制御手段２４５へ適宜出力する。また、タイマ制御手段２４６は、電力供給制御手段２４５から終了計時中断信号を適宜取得する。そして、この終了計時中断信号に基づいて、終了起動タイマ２４３の計時を中断させる。この後、タイマ制御手段２４６は、終了起動タイマ２４３の計時を中断した旨の終了中断完了信号を生成する。そして、この終了中断完了信号を電力供給制御手段２４５へ適宜出力する。【００５７】
また、タイマ制御手段２４６は、電力供給制御手段２４５から並行計時要求信号を適宜取得する。そして、この並行計時要求信号に基づいて、並行起動タイマ２４４をリセットしてから起動させる。この後、タイマ制御手段２４６は、並行起動タイマ２４４から時間情報を適宜取得して、計時設定時間のｍ分を計時したか否かを適宜判断する。そして、ｍ分を計時したと判断した場合、並行起動タイマ２４４に計時を終了させる。この後、タイマ制御手段２４６は、ｍ分の計時が終了した旨の並行計時完了信号を生成する。そして、この並行計時完了信号を電力供給制御手段２４５へ適宜出力する。また、タイマ制御手段２４６は、電力供給制御手段２４５から並行計時中断信号を適宜取得する。そして、この並行計時中断信号に基づいて、並行起動タイマ２４４の計時を中断させる。この後、タイマ制御手段２４６は、並行起動タイマ２４４の計時を中断した旨の並行中断完了信号を生成する。そして、この並行中断完了信号を電力供給制御手段２４５へ出力する。さらに、タイマ制御手段２４６は、電力供給制御手段２４５からリセット要求信号を適宜取得する。そして、このリセット要求信号に基づいて、並行起動タイマ２４４の計時をリセットして、再び計時を開始させる。【００５８】
〔記録再生装置の動作〕
次に、記録再生装置１００の動作として、ダビング時の電力供給処理について、図３に基づいて説明する。なお、ここでは、ＨＤ１７１に記憶された番組データのＤＶＤ１８１へのダビング時の電力供給処理を例示して説明する。【００５９】
まず、記録再生装置１００は、電力が供給された後、ＣＰＵ２４０のダビング制御手段２４１にて、利用者によるダビングを開始する旨の入力操作を認識する。そして、ダビング制御手段２４１は、図３に示すように、この入力操作に基づいて、ＨＤ１７１に記憶された番組データのＤＶＤ１８１へのダビングを開始する（ステップＳ１０１）。この後、ＣＰＵ２４０は、電力供給制御手段２４５にて、ダビング制御手段２４１または記録再生表示手段２４２で入力操作を認識したか否かを判断する（ステップＳ１０２）。【００６０】
このステップＳ１０２において、電力供給制御手段２４５は、入力操作を認識したと判断した場合、この入力操作がダビングをキャンセルする旨のキャンセル終了操作であるか否かを判断する（ステップＳ１０３）。そして、このステップＳ１０３において、電力供給制御手段２４５は、入力操作がキャンセル終了操作であると判断した場合、供給継続情報を電力供給手段２３０へ出力する。また、ダビング制御手段２４１は、キャンセル終了操作に基づいて、ダビングをキャンセル終了させる（ステップＳ１０４）。この後、電力供給手段２３０は、供給継続情報を取得すると、電力供給制御手段２４５からオフ要求情報を取得したか否か、すなわち電力供給制御手段２４５で記録再生装置１００の電源をオフする旨の電源オフ操作を認識したか否かを判断する（ステップＳ１０５）。このステップＳ１０５において、電力供給手段２３０は、電源オフ操作を認識していないと判断した場合、ステップＳ１０５の処理を繰り返す。一方、ステップＳ１０５において、電源オフ操作を認識したと判断した場合、記録再生装置１００の電源を直ちにオフする（ステップＳ１０６）。そして、ダビング時の電力供給処理を終了する。【００６１】
一方、ステップＳ１０３において、電力供給制御手段２４５は、入力操作がキャンセル終了操作でないと判断した場合、例えば入力操作がＨＤ１７１の他のテレビ番組などの再生であると判断した場合、並行計時要求信号をタイマ制御手段２４６へ出力する。タイマ制御手段２４６は、並行計時要求信号を取得すると、並行起動タイマ２４４をリセットしてから起動させて、ダビング並行処理が実施されてからの経過時間の計時を開始させる（ステップＳ１０７）。また、記録再生表示手段２４２は、入力操作に基づいて、例えばＨＤ１７１の他のテレビ番組などの再生をダビング並行処理として開始する。この後、電力供給制御手段２４５は、ダビング制御手段２４１または記録再生表示手段２４２で新たな入力操作を認識したか否かを判断する（ステップＳ１０８）。【００６２】
このステップＳ１０８において、電力供給制御手段２４５は、新たな入力操作を認識したと判断した場合、ステップＳ１０３と同様の処理を実施して、入力操作がキャンセル終了操作であるか否かを判断する（ステップＳ１０９）。そして、このステップＳ１０９において、電力供給制御手段２４５は、入力操作がキャンセル終了操作ではないと判断した場合、リセット要求信号をタイマ制御手段２４６へ出力する。タイマ制御手段２４６は、リセット要求信号を取得すると、ステップＳ１０７に戻り、並行起動タイマ２４４の計時をリセットして計時を再開させる。また、記録再生表示手段２４２は、入力操作に基づいて、ダビングのキャンセル終了以外の処理、例えば再生しているテレビ番組の早送り処理を実施する。一方、ステップＳ１０９において、電力供給制御手段２４５は、入力操作がキャンセル終了操作であると判断した場合、並行計時中断信号をタイマ制御手段２４６へ出力する。タイマ制御手段２４６は、並行計時中断信号を取得すると、並行起動タイマ２４４の計時を中断させる（ステップＳ１１０）。そして、タイマ制御手段２４６は、並行中断完了信号を電力供給制御手段２４５へ出力する。電力供給制御手段２４５は、並行中断完了信号を取得すると、供給継続情報を電力供給手段２３０へ出力する。そして、ダビング制御手段２４１は、キャンセル終了操作に基づいて、ステップＳ１０４へ進み、ダビングをキャンセル終了する。【００６３】
一方、ステップＳ１０８において、電力供給制御手段２４５は、新たな入力操作を認識していないと判断した場合、タイマ制御手段２４６から並行計時完了信号を取得したか否か、すなわち並行起動タイマ２４４がｍ分を計時したか否かを判断する（ステップＳ１１１）。このステップＳ１１１において、電力供給制御手段２４５は、並行起動タイマ２４４がｍ分を計時していないと判断した場合、ステップＳ１０８に戻る。一方、ステップＳ１１１において、ｍ分を計時したと判断した場合、ダビングがすでに終了しているか否かを判断する（ステップＳ１１２）。このステップＳ１１２において、電力供給制御手段２４５は、ダビングがまだ終了していないと判断した場合、ステップＳ１０２に戻る。一方、ステップＳ１１２において、ダビングがすでに終了していると判断した場合、ダビングがエラー終了したか否かを判断する（ステップＳ１１３）。このステップＳ１１３において、電力供給制御手段２４５は、ダビングがエラー終了していると判断した場合、供給継続情報を電力供給手段２３０へ出力する。この後、電力供給手段２３０は、供給継続情報を取得して、ステップＳ１０５の処理を実施する。一方、ステップＳ１１３において、電力供給制御手段２４５は、ダビングが正常終了したと判断した場合、ダビング並行処理が継続中であるか否かを判断する（ステップＳ１１４）。このステップＳ１１４において、電力供給制御手段２４５は、ダビング並行処理が継続中でないと判断した場合、供給中断情報を電力供給手段２３０へ出力する。この後、電力供給手段２３０は、供給中断情報を取得して、ステップＳ１０６の処理を実施する。一方、ステップＳ１１４において、電力供給制御手段２４５は、ダビング並行処理が継続中であると判断した場合、供給継続情報を電力供給手段２３０へ出力する。この後、電力供給手段２３０は、供給継続情報を取得して、ステップＳ１０５の処理を実施する。【００６４】
また、ステップＳ１０２において、電力供給制御手段２４５は、入力操作を認識していないと判断した場合、ダビングが終了したか否かを判断する（ステップＳ１１５）。このステップＳ１１５において、電力供給制御手段２４５は、ダビングが終了していないと判断した場合、ステップＳ１０２に戻る。一方、ステップＳ１１５において、ダビングが終了したと判断した場合、ステップＳ１１３と同様の処理を実施して、ダビングの終了がエラー終了であるか否かを判断する（ステップＳ１１６）。このステップＳ１１６において、電力供給制御手段２４５は、エラー終了であると判断した場合、供給継続情報を電力供給手段２３０へ出力する。この後、電力供給手段２３０は、供給継続情報を取得して、ステップＳ１０５の処理を実施する。一方、ステップＳ１１６において、電力供給制御手段２４５は、ダビングが正常終了したと判断した場合、ステップＳ１１４と同様の処理を実施して、ダビング並行処理が継続中であるか否かを判断する（ステップＳ１１７）。例えば、ＨＤ１７１の他のテレビ番組の再生が継続中であるか否かを判断する。【００６５】
このステップＳ１１７において、電力供給制御手段２４５は、ダビング並行処理が継続中であると判断した場合、供給継続情報を電力供給手段２３０へ出力する。この後、電力供給手段２３０は、供給継続情報を取得して、ステップＳ１０５の処理を実施する。一方、ステップＳ１１７において、電力供給制御手段２４５は、ダビング並行処理が継続中でないと判断した場合、終了計時要求信号をタイマ制御手段２４６へ出力する。タイマ制御手段２４６は、終了計時要求信号を取得すると、終了起動タイマ２４３をリセットしてから起動させて、ダビングが終了してからの経過時間の計時を開始する（ステップＳ１１８）。そして、電力供給制御手段２４５は、ステップＳ１０８と同様の処理を実施して、ダビング制御手段２４１または記録再生表示手段２４２で新たな入力操作を認識したか否かを判断する（ステップＳ１１９）。【００６６】
このステップＳ１１９において、電力供給制御手段２４５は、新たな入力操作を認識したと判断した場合、終了計時中断信号をタイマ制御手段２４６へ出力する。タイマ制御手段２４６は、終了計時中断信号を取得すると、終了起動タイマ２４３の計時を中断させる（ステップＳ１２０）。そして、タイマ制御手段２４６は、終了中断完了信号を電力供給制御手段２４５へ出力する。電力供給制御手段２４５は、終了中断完了信号を取得すると、供給継続情報を電力供給手段２３０へ出力する。そして、記録再生表示手段２４２は、入力操作に基づいて、各種処理を実施する。また、電力供給手段２３０は、供給継続情報を取得して、ステップＳ１０５の処理を実施する。【００６７】
一方、ステップＳ１１９において、電力供給制御手段２４５は、新たな入力操作を認識していないと判断した場合、録画予約が設定されているか否かを判断する（ステップＳ１２１）。このステップＳ１２１において、電力供給制御手段２４５は、録画予約が設定されていると判断した場合、終了計時中断信号をタイマ制御手段２４６へ出力する。タイマ制御手段２４６は、終了計時中断信号を取得すると、終了起動タイマ２４３の計時を中断させる（ステップＳ１２２）。そして、ＣＰＵ２４０は、記録再生表示手段２４２にて、録画予約を実施する（ステップＳ１２３）。この後、ＣＰＵ２４０は、電力供給手段２３０にて、ステップＳ１０５の処理を適宜実施する。一方、ステップＳ１２１において、電力供給制御手段２４５は、録画予約が設定されていないと判断した場合、タイマ制御手段２４６から終了計時完了信号を取得したか否か、すなわち終了起動タイマ２４３がｎ分を計時したか否かを判断する（ステップＳ１２４）。このステップＳ１２４において、電力供給制御手段２４５は、終了起動タイマ２４３がｎ分を計時していないと判断した場合、ステップＳ１１９に戻る。一方、ステップＳ１２４において、電力供給制御手段２４５は、ｎ分を計時したと判断した場合、供給中断情報を電力供給手段２３０へ適宜出力する。この後、電力供給手段２３０は、供給中断情報を取得して、ステップＳ１０６の処理を実施する。【００６８】
上述したように、上記実施の形態では、記録再生装置１００は、ＣＰＵ２４０のダビング制御手段２４１にて、例えばＨＤ１７１の番組データをＤＶＤ１８１へダビングする。そして、ＣＰＵ２４０の記録再生表示手段２４２は、ダビング中にダビング以外の処理であるダビング並行処理を実施する旨の入力操作を認識すると、ダビング並行処理を適宜実施する。この後、ＣＰＵ２４０の電力供給制御手段２４５は、ダビングが終了したことを認識すると、記録再生表示手段２４２から並行処理状況信号を適宜取得する。次に、この並行処理状況信号に基づいて、ダビング並行処理が継続中であるか否かを判断する。そして、電力供給制御手段２４５は、ダビング並行処理が継続中でないと判断した場合、供給中断情報を電力供給手段２３０へ出力する。一方で、ダビング並行処理が継続中であると判断した場合、供給継続情報を電力供給手段２３０へ出力する。電力供給手段２３０は、電力供給制御手段２４５から供給中断情報を取得すると、記録再生装置１００への電力供給を中断して、記録再生装置１００の電源を直ちにオフする。一方で、電力供給制御手段２４５から供給継続情報を取得すると、記録再生装置１００への電力供給を継続して、電源オフ操作を認識するまで記録再生装置１００の電源をオフしない。【００６９】
このため、記録再生装置１００は、ダビングが終了した際に、このダビングと並行して実施していた例えばＨＤ１７１の他のテレビ番組などの再生処理が継続中の場合、電源オフ操作を認識するまで電力供給を継続できる。したがって、利用者は、例えばＨＤ１７１の再生中にダビングが終了したことに気付かなかったとしても電源のオン状態が継続されるので、意志に反して電源がオフされ再生しているテレビ番組などの視聴が妨げられることがない。また、記録再生装置１００は、ダビングが終了した際に、このダビングと並行して実施していた例えばＨＤ１７１の再生処理も終了している場合、入力操作を認識することなく電力供給を直ちに中断できる。したがって、記録再生装置１００は、利用者が近傍にいなくても電源をオフでき、消費電力を低減できる。よって、記録再生装置１００は、電力を適切に供給できる。【００７０】
電力供給制御手段２４５は、ダビングがエラー終了したか否かを判断する。そして、エラー終了したと判断した場合、供給継続情報を電力供給手段２３０へ出力する。このため、記録再生装置１００は、ダビングがエラー終了した後にも電源オフ操作を認識するまで電源のオン状態を継続できる。したがって、記録再生装置１００は、エラー終了後も電源のオン状態を継続することにより、例えばエラー終了後に記録再生装置１００の近傍に戻ってきた利用者にダビングがエラー終了したことを容易に認識できる。よって、記録再生装置１００の利便性を向上できる。【００７１】
電力供給制御手段２４５は、ダビングの終了後にダビング並行処理が継続中であるか否かを判断する。そして、ダビング並行処理が継続中ではないと判断した場合、終了計時要求信号をタイマ制御手段２４６へ出力して、終了起動タイマ２４３にｎ分の計時を開始させる。この後、電力供給制御手段２４５は、終了起動タイマ２４３による計時中に、例えば記録再生表示手段２４２から処理開始信号を取得したか否か、すなわち新たな入力操作を認識したか否かを判断する。そして、計時中に新たな入力操作を認識したと判断した場合、終了計時中断信号をタイマ制御手段２４６へ出力して、終了起動タイマ２４３の計時を中断させる。この後、供給継続情報を電力供給手段２３０へ出力する。一方で、電力供給制御手段２４５は、新たな入力操作を認識することなくｎ分の計時が終了したと判断した場合、供給中断情報を電力供給手段２３０へ出力する。【００７２】
このため、記録再生装置１００は、ダビングの終了後にダビング並行処理も終了している場合でも、ｎ分間だけ電源のオン状態を継続できる。そして、このｎ分間の間に入力操作を認識すると、ｎ分間が経過した後にも電源オフ操作を認識するまで電源のオン状態を継続できる。したがって、利用者は、例えばダビングおよびダビング並行処理が終了した時点で記録再生装置１００から離れていたとしても、ｎ分間の間に戻ってくれば電源をオンする入力操作を実施することなく記録再生装置１００を動作させることができる。また、記録再生装置１００は、ｎ分間の間に利用者が戻ってこなかったとしても、ｎ分間が経過した後に電源をオフでき、消費電力を低減できる。よって、記録再生装置１００は、電力をより適切に供給できる。【００７３】
電力供給制御手段２４５は、ダビング中に記録再生表示手段２４２から処理開始信号を取得したか否か、すなわち記録再生表示手段２４２で入力操作を認識したか否かを判断する。そして、ダビング中に入力操作を認識したと判断した場合、並行計時要求信号をタイマ制御手段２４６へ出力して、並行起動タイマ２４４にｍ分の計時を開始させる。この後、電力供給制御手段２４５は、新たな入力操作を認識することなくｍ分の計時が終了したと判断した場合、ダビングが終了しているか否かを判断する。そして、ダビングが終了していると判断した場合、供給中断情報を電力供給手段２３０へ出力する。一方で、ダビングが終了していないと判断した場合、供給中断情報を電力供給手段２３０へ出力しない。このため、記録再生装置１００は、ダビング中に入力操作を認識した時点からｍ分間が経過した後に電源を適宜オフできる。したがって、記録再生装置１００は、例えば利用者が入力操作を実施した後に記録再生装置１００から長時間離れてしまった場合、ダビングが終了した時点からの経過時間に基づいて電源をオフする構成と比べて、適宜早いタイミングで電源をオフできる。よって、記録再生装置１００は、消費電力を適宜低減させることができ、電力をより適切に供給できる。【００７４】
電力供給制御手段２４５は、並行起動タイマ２４４による計時中に、記録再生表示手段２４２から処理開始信号を取得したか否か、すなわち新たな入力操作を認識したか否かを判断する。そして、計時中に新たな入力操作を認識したと判断した場合、リセット要求信号をタイマ制御手段２４６へ出力する。そして、並行起動タイマ２４４の計時をリセットさせてから計時を再開させる。このため、記録再生装置１００は、ダビング中に入力操作を複数回認識した場合、最後の入力操作を認識した時点からｍ分間が経過した後に電源を適宜オフできる。したがって、記録再生装置１００は、例えば利用者が複数回の入力操作を長時間にわたって実施した場合でも、最初の入力操作を認識した時点からの経過時間に基づいて電源をオフする構成のように、利用者の意志に反して電源をオフするおそれがない。よって、記録再生装置１００は、電力をさらに適切に供給できる。【００７５】
本発明の処理制御装置および電力供給制御装置を、例えばＨＤ１７１に記憶された番組データのＤＶＤ１８１へのダビング中に、例えばＨＤ１７１に記憶された他の番組データの再生が可能な記録再生装置１００に適用している。このため、電力を適切に供給可能な利便性が高い記録再生装置１００を提供できる。【００７６】
［実施の形態の変形］
なお、本発明は、上述した実施の形態に限定されるものではなく、本発明の目的を達成できる範囲で以下に示される変形をも含むものである。【００７７】
すなわち、例えば電力供給制御手段２４５に、ダビングがエラー終了したか否かを判断する機能を設けた構成について例示したが、このような機能を設けない構成などとしてもよい。このような構成にすれば、ステップＳ１１３やステップＳ１１６の処理を省略できる。したがって、記録再生装置１００は、ダビング時の電力供給処理をより迅速にできる。【００７８】
電力供給制御手段２４５に、ダビングの終了時にダビング並行処理が継続中であるか否かを判断し、終了起動タイマ２４３を適宜制御する機能を設けた構成について例示したが、このような機能を設けずに例えば以下のような処理を実施させる構成などとしてもよい。すなわち、電力供給制御手段２４５に、ステップＳ１１７においてダビング並行処理が継続中でないと判断した場合、ステップＳ１２１の処理を実施させる。そして、ステップＳ１２１において、録画予約が設定されていると判断した場合、ステップＳ１２３の処理を実施させ、録画予約が設定されていないと判断した場合、ステップＳ１０６の処理を実施させる構成などとしてもよい。このような構成によれば、ステップＳ１１８ないしＳ１２０，Ｓ１２２，Ｓ１２４の処理を省略できる。したがって、記録再生装置１００は、ダビング時の電力供給処理をより迅速にできる。また、ＣＰＵ２４０に終了起動タイマ２４３を設ける必要がなくなるので、ＣＰＵ２４０の構成を簡略化できる。さらに、電力供給制御手段２４５に終了起動タイマ２４３を制御する機能を設ける必要がなくなるので、電力供給制御手段２４５の構成を簡略化できる。したがって、記録再生装置１００のコスト低減を図ることができる。【００７９】
電力供給制御手段２４５に、ダビング中に入力操作が実施されたか否かを判断し、並行起動タイマ２４４を適宜制御する機能を設けた構成について例示したが、このような機能を設けずに例えば以下のような処理を実施させる構成などとしてもよい。すなわち、電力供給制御手段２４５に、ステップＳ１０３において入力操作がキャンセル終了操作でないと判断した場合、ステップＳ１０２の処理を実施させる構成などとしてもよい。このような構成によれば、ステップＳ１０７ないしＳ１１４の処理を省略できる。したがって、記録再生装置１００は、ダビング時の電力供給処理をより迅速にできる。また、ＣＰＵ２４０に並行起動タイマ２４４を設ける必要がなくなるので、ＣＰＵ２４０の構成を簡略化できる。さらに、電力供給制御手段２４５に並行起動タイマ２４４を制御する機能を設ける必要がなくなるので、電力供給制御手段２４５の構成を簡略化できる。したがって、記録再生装置１００のコスト低減を図ることができる。【００８０】
電力供給制御手段２４５に、並行起動タイマ２４４による計時中に新たな入力操作を認識したか否かを判断し、並行起動タイマ２４４の計時を適宜リセットして再開させる機能を設けた構成について例示したが、このような機能を設けずに例えば以下のような処理を実施させる構成などとしてもよい。すなわち、電力供給制御手段２４５に、ステップＳ１０９において入力操作がキャンセル終了操作でないと判断した場合、ステップＳ１０８の処理を実施させる構成などとしてもよい。このような構成にすれば、電力供給制御手段２４５に並行起動タイマ２４４の計時をリセットして再開させる機能を設ける必要がなくなるので、電力供給制御手段２４５の構成を簡略化できる。したがって、記録再生装置１００のコスト低減を図ることができる。【００８１】
例えば、以下のような構成などとしてもよい。すなわち、ＣＰＵ２４０に、計時設定時間のｎ分やｍ分を任意の時間に設定する旨の入力操作に応じた時間設定信号を取得する図示しない時間設定信号取得手段と、この時間設定要求信号に基づいて計時設定時間のｎ分やｍ分を任意の時間に設定する図示しない時間設定手段と、を設ける構成などとしてもよい。このような構成にすれば、利用者は、ダビング終了後や入力操作実施後から電力供給を中断させるまでの時間を適宜決定できる。したがって、記録再生装置１００の利便性をより向上させることができる。【００８２】
例えば、以下のような構成などとしてもよい。すなわち、記録再生装置１００のＣＰＵ２４０に、図示しない自動時間設定手段を設ける。また、並行起動タイマ２４４を、本発明の処理間隔計時手段として機能させる。さらに、タイマ制御手段２４６を、本発明の間隔計時認識手段として機能させる。すなわち、タイマ制御手段２４６に、並行起動タイマ２４４による計時中に新たな入力操作を認識した際に、並行起動タイマ２４４が計時している時間をダビング並行処理に関する入力操作の間隔として認識して、この入力操作の間隔を例えばメモリ１６０に記憶させる機能を設ける。そして、例えば図４に示すような処理を実施するような構成などとしてもよい。なお、このような構成の場合、並行起動タイマ２４４およびタイマ制御手段２４６にて、本発明の処理間隔認識手段が構成される。【００８３】
このような構成において、記録再生装置１００は、ＣＰＵ２４０の電力供給制御手段２４５でステップＳ１０３の処理を実施した後、自動時間設定手段にて、例えばメモリ１６０に記憶された過去のダビング並行処理に関する入力操作の間隔を認識する（ステップＳ２０１）。この後、この認識した入力操作の間隔に基づいて、終了起動タイマ２４３の所定時間である計時設定時間ｔを再設定する（ステップＳ２０２）。ここで、この終了起動タイマ２４３の計時設定時間ｔの再設定方法としては、例えば認識した入力操作間隔の平均値や最大値、あるいは最大値に任意の時間を加えた時間を演算する。そして、この演算した時間を終了起動タイマ２４３の計時設定時間ｔとして例えばメモリ１６０に記憶させる方法が例示できるがこれに限られない。【００８４】
この後、自動時間設定手段は、ステップＳ２０２と同様の処理を実施して、並行起動タイマ２４４の所定時間である計時設定時間ｕを再設定する（ステップＳ２０３）。そして、電力供給制御手段２４５は、メモリ１６０に記憶された並行起動タイマ２４４の計時設定時間ｕを認識する（ステップＳ２０４）。この後、並行起動タイマ２４４で計時設定時間ｕの計時を開始する旨を要求する並行計時要求信号を生成して、タイマ制御手段２４６へ出力する。タイマ制御手段２４６は、並行計時要求信号を取得すると、ステップＳ１０７の処理を実施する。この後、タイマ制御手段２４６は、並行起動タイマ２４４が計時設定時間ｕを計時したことを認識すると、並行計時完了信号を生成して電力供給制御手段２４５へ出力する。また、電力供給制御手段２４５は、並行計時要求信号を出力した後、並行起動タイマ２４４が計時設定時間ｕを計時したか否かを判断する（ステップＳ２０５）。【００８５】
このステップＳ２０５において、電力供給制御手段２４５は、並行起動タイマ２４４が計時設定時間ｕを計時していないと判断した場合、入力操作の待機状態、すなわちステップＳ１０８に戻って、入力操作の有無を判断する。一方、ステップＳ２０５において、並行起動タイマ２４４が計時設定時間ｕを計時したと判断した場合、ステップＳ１１２に進んで、ダビング終了の有無を判断する。また、電力供給制御手段２４５は、ステップＳ１０９において、入力操作がキャンセル終了操作ではないと判断した場合、タイマ制御手段２４６に並行起動タイマ２４４が計時している時間をダビング並行処理に関する入力操作の間隔として認識させる。そして、この入力操作の間隔をメモリ１６０に記憶させる（ステップＳ２０６）。そして、電力供給制御手段２４５は、リセット要求信号をタイマ制御手段２４６へ出力する。【００８６】
また、電力供給制御手段２４５は、ステップＳ１１７において、ダビング並行処理が継続中でないと判断した場合、メモリ１６０に記憶された終了起動タイマ２４３の計時設定時間ｔを認識する（ステップＳ２０７）。この後、終了起動タイマ２４３で計時設定時間ｔの計時を開始する旨を要求する終了計時要求信号を生成して、タイマ制御手段２４６へ出力する。タイマ制御手段２４６は、終了計時要求信号を取得すると、ステップＳ１１８に進んで、ダビング終了からの経過時間の計時を開始する。この後、タイマ制御手段２４６は、終了起動タイマ２４３が計時設定時間ｔを計時したことを認識すると、終了計時完了信号を生成して電力供給制御手段２４５へ出力する。そして、電力供給制御手段２４５は、ステップＳ１２１において、録画予約が設定されていないと判断した場合、終了起動タイマ２４３が計時設定時間ｔを計時したか否かを判断する（ステップＳ２０８）。このステップＳ２０８において、電力供給制御手段２４５は、終了起動タイマ２４３が計時設定時間ｔを計時していないと判断した場合、ステップＳ１１９の処理に戻る。一方で、終了起動タイマ２４３が計時設定時間ｔを計時したと判断した場合、供給中断情報を電力供給手段２３０へ適宜出力する。この後、電力供給手段２３０は、供給中断情報を取得して、ステップＳ１０６の処理、すなわち記録再生装置１００の電源を直ちにオフする処理を実施する。【００８７】
このような構成にすれば、記録再生装置１００は、利用者による入力操作の間隔に基づいて、ダビング終了後や入力操作実施後から電源をオフさせるまでの時間を、利用者の入力操作の実施状況に応じて自動的に設定できる。したがって、記録再生装置１００は利用者毎に電源をオフさせるまでの時間を自動的に設定するので、記録再生装置１００の利便性をより向上できる。【００８８】
図４に示すような構成において、例えば終了起動タイマ２４３の計時設定時間ｔを例えばｎ分に固定して、並行起動タイマ２４４の計時設定時間ｕのみを入力操作間隔に基づいて適宜再設定する構成などとしてもよい。また、並行起動タイマ２４４の計時設定時間ｕを例えばｍ分に固定して、終了起動タイマ２４３の計時設定時間ｔのみを入力操作間隔に基づいて適宜再設定する構成などとしてもよい。このような構成にすれば、ステップＳ２０２およびステップＳ２０７、または、ステップＳ２０３およびステップＳ２０４の処理を省略できる。したがって、ダビング時の電力供給処理をより迅速にできる。【００８９】
例えば、以下のような構成などとしてもよい。すなわち、表示装置を、本発明の第２の処理実施手段として機能させる。そして、表示装置に、例えば音量調整を実施した旨の処理実施信号を電力供給制御手段２４５へ出力する機能を設ける。さらに、電力供給制御手段２４５に、表示装置から処理実施信号を取得した際に、ダビング以外の処理を実施させる旨の入力操作が実施されたと判断する機能を設ける構成などとしてもよい。このような構成にすれば、電力供給制御手段２４５は、例えばダビング終了後に利用者が表示装置の音量を調整する入力操作のみを実施して、記録再生装置１００の動作に関する入力操作を実施しない場合でも、供給継続情報を電力供給手段２３０へ出力できる。このため、記録再生装置１００は、例えばダビング終了後に利用者が表示装置の音量を調整する入力操作のみを実施した場合でも、電源オフ操作を認識するまで電力供給を継続できる。したがって、利用者は、記録再生装置１００の動作に関する入力操作を実施なかったとしても電源のオン状態が継続されるので、意志に反して電源がオフされ例えば視聴しているテレビ番組などの視聴が妨げられることがない。よって、記録再生装置１００は、電力をより適切に供給できる。【００９０】
電力供給制御手段２４５に、記録再生装置１００や表示装置を遠隔操作するリモートコントローラなどの入力操作に基づいて、供給継続情報や供給中断情報を電力供給手段２３０へ出力する機能を設ける構成などとしてもよい。また、電力供給制御手段２４５に、接続機器の処理状況に基づいて供給継続情報や供給中断情報を電力供給手段２３０へ出力する機能を設ける構成などとしてもよい。【００９１】
本発明の処理制御装置および電力供給制御装置を、ＤＶＤドライブ１８０を有さない構成の記録再生装置１００に適用してもよい。【００９２】
本発明の処理制御装置および電力供給制御装置を、記録再生装置１００に適用した構成について例示したが、これに限らず電力の供給を制御するあらゆる構成に適用してもよい。具体的には、例えばＨＤに記憶された楽曲データを例えばＭＤ（Mini Disc）などの記録媒体にダビングする処理と、ＨＤに記憶された他の楽曲データの再生処理と、を同時に実施可能な楽曲記録再生装置になどに適用してもよい。【００９３】
上述した各機能をプログラムとして構築したが、例えば回路基板などのハードウェアあるいは１つのＩＣ（Integrated Circuit）などの素子にて構成するなどしてもよく、いずれ
の形態としても利用できる。なお、プログラムや別途記録媒体から読み取らせる構成とすることにより、取扱が容易で、利用の拡大が容易に図れる。【００９４】
その他、本発明の実施の際の具体的な構造および手順は、本発明の目的を達成できる範囲で他の構造などに適宜変更できる。【００９５】
上述したように、上記実施の形態では、記録再生装置１００は、ＣＰＵ２４０のダビング制御手段２４１にて、例えばＨＤ１７１の番組データをＤＶＤ１８１へダビングする。そして、ＣＰＵ２４０の記録再生表示手段２４２は、ダビング中にダビング並行処理を実施する旨の入力操作を認識すると、ダビング並行処理を適宜実施する。この後、ＣＰＵ２４０の電力供給制御手段２４５は、ダビングが終了したことを認識すると、記録再生表示手段２４２から並行処理状況信号を適宜取得する。次に、この並行処理状況信号に基づいて、ダビング並行処理が継続中であるか否かを判断する。そして、電力供給制御手段２４５は、ダビング並行処理が継続中でないと判断した場合、供給中断情報を電力供給手段２３０へ出力する。【００９６】
このため、記録再生装置１００は、ダビングが終了した際に、このダビングと並行して実施していた例えばＨＤ１７１の他のテレビ番組などの再生処理が継続中の場合、電力供給手段２３０にて電源オフ操作を認識するまで電力供給を継続できる。したがって、利用者は、例えばＨＤ１７１の再生中にダビングが終了したことに気付かなかったとしても電源のオン状態が継続されるので、意志に反して電源がオフされ再生しているテレビ番組などの視聴が妨げられることがない。また、記録再生装置１００は、ダビングが終了した際に、このダビングと並行して実施していた例えばＨＤ１７１の再生処理も終了している場合、入力操作を認識することなく電力供給手段２３０にて電力供給を直ちに中断できる。したがって、記録再生装置１００は、利用者が記録再生装置１００の近傍にいなくても電源をオフでき、消費電力を低減できる。よって、記録再生装置１００は、電力を適切に供給できる。
【産業上の利用可能性】
【００９７】
本発明は、電力の供給を制御する処理制御装置、電力供給制御装置、処理制御方法、そのプログラム、および、そのプログラムを記録した記録媒体に利用でき、磁気テープ、磁気ディスク、光ディスク、光磁気ディスクなどの各種記録媒体に記録された例えば画像データなどを他の各種記録媒体に再記録するいわゆるダビング機能を有する記録装置や記録再生システムに利用できる。
【図１】
2005086168.tif 000002
【図２】
2005086168.tif 000003
【図３】
2005086168.tif 000004
【図４】
2005086168.tif 000005
【手続補正書】
【提出日】平成17年12月26日(2005.12.26)
【手続補正１】
【補正対象書類名】特許請求の範囲
【補正対象項目名】全文
【補正方法】変更
【補正の内容】
【書類名】請求の範囲
【請求項１】  第１の処理を実施する第１の処理実施手段と、
前記第１の処理とは異なる第２の処理を実施する第２の処理実施手段と、
前記第２の処理の実施に対する処理実施信号を取得する実施信号取得手段と、
前記処理実施信号に基づいて前記第２の処理の実施を認識する処理実施認識手段と、
前記第１の処理の終了を認識する処理終了認識手段と、
前記第１の処理の終了からの時間を計時する終了後計時手段と、
前記終了後計時手段が所定時間を計時したことを認識する終了後計時認識手段と、
前記第１の処理の終了を認識した際に前記第２の処理の実施が認識されていないと判断された場合は前記終了後計時手段に計時を開始させ、前記終了後計時手段による前記計時の実施中に前記第２の処理の実施が認識された場合は前記終了後計時手段に前記計時を終了させる終了後計時制御手段と、
前記終了後計時手段が前記所定時間を計時したことを認識した場合、電力を供給する電力供給手段に前記供給を中断させる電力供給中断処理を実施させる電力供給制御手段と、
を具備したことを特徴とした処理制御装置。
【請求項２】  請求項１に記載の処理制御装置であって、
前記処理終了認識手段は、前記第１の処理の終了が異常終了であるか否かを判断し、
前記電力供給制御手段は、前記第１の処理の終了が異常終了であると判断された場合、前記電力供給手段に前記電力供給中断処理を実施させない
ことを特徴とした処理制御装置。
【請求項３】（削除）
【請求項４】  請求項１ないし請求項３のいずれかに記載の処理制御装置であって、
前記第２の処理の実施を認識してからの時間を計時する処理中計時手段と、
前記処理中計時手段が所定時間を計時したことを認識する処理中計時認識手段と、
前記第１の処理の実施中に前記第２の処理の実施を認識した場合、前記処理中計時手段に計時を開始させる処理中計時制御手段と、
を具備し、
前記電力供給制御手段は、前記処理中計時手段が前記所定時間を計時したことを認識した際に前記第１の処理の終了を認識しているか否かを判断し、前記第１の処理の終了を認識していると判断した場合、前記電力供給手段に前記電力供給中断処理を実施させる
ことを特徴とした処理制御装置。
【請求項５】  請求項４に記載の処理制御装置であって、
前記処理中計時制御手段は、前記処理中計時手段による前記計時の実施中に次の前記第２の処理の実施を認識した場合、前記計時をリセットして前記計時を再開させる
ことを特徴とした処理制御装置。
【請求項６】  請求項３ないし請求項５のいずれかに記載の処理制御装置であって、
前記所定時間を任意の時間に設定する旨の人力操作に応じた時間設定信号を取得する時間設定信号取得手段と、
前記時間設定信号に基づいて前記所定時間を前記任意の時間に設定する時間設定手段と、
を具備したことを特徴とした処理制御装置。
【請求項７】  請求項３ないし請求項６のいずれかに記載の処理制御装置であって、
前記第１の処理の実施中に前記第２の処理の実施を認識する間隔を認識する処理間隔認識手段と、
前記開隔に基づいて前記所定時間を設定する自動時間設定手段と、
を具備したことを特徴とした処理制御装置。
【請求項８】  請求項７に記載の処理制御装置であって、
前記処理間隔認識手段は、
前記第１の処理の実施中に前記第２の処理の実施を認識する間隔を計時する処理間隔計時手段と、
前記第１の処理の実施中に前記第２の処理の実施を認識した場合は前記処理間隔計時手段に計時を開始させ、次の前記第２の処理の実施を認識した場合は前記処理間隔計時手段が計時している時間を前記間隔として認識する間隔計時認識手段と、
を備えたことを特徴とした処理制御装置。
【請求項９】  請求項１ないし請求項８のいずれかに記載の処理制御装置であって、
前記第１の処理は、各種データを記憶可能な第１の記憶手段に記憶された前記データを第２の記憶手段へ再記憶させる処理である
ことを特徴とした処理制御装置。
【請求項１０】  電力を供給する電力供給手段と、
請求項１ないし請求項９のいずれかに記載の処理制御装置と、
を具備したことを特徴とした電力供給制御装置。
【請求項１１】第１の処理を実施し、
前記第１の処理とは異なる第２の処理を実施し、
前記第２の処理の実施に対する処理実施信号を取得し、
前記処理実施信号に基づいて前記第２の処理の実施を認識し、
前記第１の処理の終了を認識し、
前記第１の処理の終了を認識した際に前記第２の処理の実施が認識されていない場合は前記第１の処理の終了からの時間の計時を開始し、
前記計時の実施中に前記第２の処理の実施が認識された場合は前記計時を終了し、
前記計時により所定時間を計時したことを認識した場合、電力を供給する電力供給手段に前記供給を中断させる電力供給中断処理を実施させる
ことを特徴とする処理制御方法。
【請求項１２】  演算手段を、請求項１ないし請求項９のいずれかに記載の処理制御装置として機能させることを特徴とした処理制御プログラム。
【請求項１３】  請求項１１に記載の処理制御方法を演算手段に実行させる
ことを特徴とした処理制御プログラム。
【請求項１４】  請求項１２または請求項１３に記載の処理制御プログラムが演算手段にて読取可能に記憶された
ことを特徴とした処理制御プログラムを記録した記録媒体。
【手続補正２】
【補正対象書類名】明細書
【補正対象項目名】０００２
【補正方法】変更
【補正の内容】
【０００２】
により衛星放送の受信を終了してしまうおそれがある。このことから、電力を適切に供給可能な構成が望まれている。
［０００６］  本発明は、このような実情に鑑みて、電力の供給を適切に制御する処理制御装置、電力供給制御装置、処理制御方法、そのプログラム、および、そのプログラムを記録した記録媒体を提供することを１つの目的とする。
【課題を解決するための手段】
［０００７］  請求項１に記載の発明は、第１の処理を実施する第１の処理実施手段と、前記第１の処理とは異なる第２の処理を実施する第２の処理実施手段と、前記第２の処理の実施に対する処理実施信号を取得する実施信号取得手段と、前記処理実施信号に基づいて前記第２の処理の実施を認識する処理実施認識手段と、前記第１の処理の終了を認識する処理終了認識手段と、前記第１の処理の終了からの時間を計時する終了後計時手段と、前記終了後計時手段が所定時間を計時したことを認識する終了後計時認識手段と、前記第１の処理の終了を認識した際に前記第２の処理の実施が認識されていないと判断された場合は前記終了後計時手段に計時を開始させ、前記終了後計時手段による前記計時の実施中に前記第２の処理の実施が認識された場合は前記終了後計時手段に前記計時を終了させる終了後計時制御手段と、前記終了後計時手段が前記所定時間を計時したことを認識した場合、電力を供給する電力供給手段に前記供給を中断させる電力供給中断処理を実施させる電力供給制御手段と、を具備したことを特徴とした処理制御装置である。
［０００８］  請求項１０に記載の発明は、電力を供給する電力供給手段と、請求項１ないし請求項９のいずれかに記載の処理制御装置と、を具備したことを特徴とした電力供給制御装置である。
［０００９］  請求項１１に記載の発明は、第１の処理を実施し、前記第１の処理とは異なる第２の処理を実施し、前記第２の処理の実施に対する処理実施信号を取得し、前記処理実施信号に基づいて前記第２の処理の実施を認識し、前記第１の処理の終了を認識し、前記第１の処理の終了を認識した際に前記第２の処理の実施が認識されていない場合は前記第１の処理の終了からの時間の計時を開始し、前記計時の実施中に前記第２の処理の実施が認識された場合は前記計時を終了し、前記計時により所定時間を計時したことを認識した場合、電力を供給する電力供給手段に前記供給を中断させる電力供給中断処理を実施させることを特徴とする処理制御方法である。
［００１０］  請求項１２に記載の発明は、演算手段を、請求項１ないし請求項９のいずれかに記載の処理制御装置として機能させることを特徴とした処理制御プログラムである。
［００１１］  請求項１３に記載の発明は、請求項１１に記載の処理制御方法を演算手段に実行
【国際調査報告】
2005086168.tif 000006
2005086168.tif 000007
2005086168.tif 000008